(57)【特許請求の範囲】
【請求項１】
受信信号に含まれる共通パイロットチャネルの受信品質を測定する測定部と、
前記共通パイロットチャネルの電力に加えて前記受信信号の電力を求めるためのオフセット値を前記受信信号から抽出するオフセット値抽出部と、
前記オフセット値抽出部により抽出されたオフセット値に応じて前記測定部による前記共通パイロットチャネルの受信品質の測定時間を可変する測定時間制御部と、
前記測定部の測定により得た前記共通パイロットチャネルの受信品質に基づいてチャネル品質の情報を求める演算部と、
を備えることを特徴とする生成装置。
【請求項２】
前記オフセット値抽出部により抽出されたオフセット値と閾値を比較し、前記オフセット値が前記閾値よりも大きい場合に前記測定部による前記共通パイロットチャネルの受信品質を測定する際の伝播環境の信頼性が低いと判定する伝播環境信頼性判定部、をさらに備え、
前記測定時間制御部は、前記伝播環境信頼性判定部により伝播環境の信頼性が低いと判定された場合に、前記測定部による前記共通パイロットチャネルの受信品質の測定時間を、前記伝播環境信頼性判定部により伝播環境の信頼性が低いと判定される前の測定時間よりも長くすることを特徴とする請求項１に記載の生成装置。
【請求項３】
前記伝播環境信頼性判定部は、前記オフセット値が前記閾値よりも小さい場合に前記測定部による前記共通パイロットチャネルの受信品質を測定する際の伝播環境の信頼性が高いと判定し、
前記測定時間制御部は、前記伝播環境信頼性判定部により伝播環境の信頼性が高いと判定された場合に、前記測定部による前記共通パイロットチャネルの受信品質の測定時間を、前記伝播環境信頼性判定部により伝播環境の信頼性が高いと判定される前の測定時間よりも短くすることを特徴とする請求項２に記載の生成装置。
【請求項４】
共通パイロットチャネルの電力に加えて受信信号の電力を求めるためのオフセット値を前記受信信号から抽出するオフセット値抽出ステップと、
前記オフセット値抽出ステップで抽出されたオフセット値と閾値を比較し、前記オフセット値が前記閾値よりも大きい場合に、前記受信信号に含まれる前記共通パイロットチャネルの受信品質を測定する際の伝播環境の信頼性が低いと判定する伝播環境信頼性判定ステップと、
前記伝播環境信頼性判定ステップで伝播環境の信頼性が低いと判定された場合に、前記共通パイロットチャネルの受信品質の測定時間を、前記伝播環境信頼性判定ステップにより伝播環境の信頼性が低いと判定される前の測定時間よりも長くする測定時間制御ステップと、
前記測定時間制御ステップで決定された測定時間でもって前記共通パイロットチャネルの受信品質を測定する測定ステップと、
前記測定ステップでの測定により得た前記共通パイロットチャネルの受信品質に基づいてチャネル品質の情報を求める演算ステップと、
を備えることを特徴とする生成方法。
【請求項５】
受信信号に含まれる共通パイロットチャネルの受信品質を測定する測定部と、
前記共通パイロットチャネルの電力に加えて前記受信信号の電力を求めるためのオフセット値を前記受信信号から抽出するオフセット値抽出部と、
前記オフセット値抽出部により抽出されたオフセット値に応じて前記測定部による前記共通パイロットチャネルの受信品質の測定時間を可変する測定時間制御部と、
前記測定部の測定により得た前記共通パイロットチャネルの受信品質に基づいてチャネル品質の情報を求める演算部と、
を備える生成装置を有することを特徴とする移動端末。
【発明の詳細な説明】
【技術分野】
【０００１】
この発明は、高速パケット通信技術の一つであるＨＳＤＰＡの移動局における生成装置、生成方法および移動端末に関する。
【背景技術】
【０００２】
ＨＳＤＰＡ（Ｈｉｇｈ  Ｓｐｅｅｄ  Ｄｏｗｎｌｉｎｋ  Ｐａｃｋｅｔ  Ａｃｃｅｓｓ）では、下り方向の物理共有チャネルであるＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）の送信電力が同じでも、移動局での受信状態の良し悪しに応じて、基地局から移動局への送信データの単位時間あたりのビット数が切り替わる。移動局での受信状態が悪い場合、基地局は、送信データの単位時間あたりのビット数を減らす。それによって、送信データの１ビットあたりの電力値が大きくなるので、移動局での受信データの誤りが減る。
【０００３】
逆に、移動局での受信状態が良い場合には、基地局は、送信データの単位時間あたりのビット数を増やす。それによって、移動局での受信データの単位時間あたりのビット数が増える。ここで、下り方向とは、基地局から移動局へ向かう方向であり、上り方向は、その逆方向である。このような制御を行うため、移動局は、共通パイロットチャネルであるＰ−ＣＰＩＣＨ（Ｐｒｉｍａｒｙ  Ｃｏｍｍｏｎ  Ｐｉｌｏｔ  Ｃｈａｎｎｅｌ）の品質（ＳＩＲ：Ｓｉｇｎａｌ  ｔｏ  Ｉｎｔｅｒｆｅｒｅｎｃｅ  Ｐｏｗｅｒ  Ｒａｔｉｏ）を測定する。そして、移動局は、測定したＳＩＲ値に基づいて、ＳＩＲ−ＣＱＩ対応テーブルからＣＱＩ（Ｃｈａｎｎｅｌ  Ｑｕａｌｉｔｙ  Ｉｎｄｉｃａｔｏｒ）の値を選択する。
【０００４】
図３は、ＳＩＲ−ＣＱＩ対応テーブルを示す図である。図３に示すように、ＳＩＲ−ＣＱＩ対応テーブル１では、ＣＱＩ値と、トランスポートブロックサイズ、コード多重数および変調方式などのパラメータとの対応づけがなされている。ＳＩＲの測定値に基づいて、ブロック誤り率であるＢＬＥＲ（Ｂｌｏｃｋ  Ｅｒｒｏｒ  Ｒａｔｅ）が１０％を超えないようなトランスポートブロックサイズ、コード多重数および変調方式の組み合わせが選択される。
【０００５】
そして、その組み合わせに対応するＣＱＩ値がＳＩＲ−ＣＱＩ対応テーブル１から選択される。ＢＬＥＲが１０％を超えないことは、第３世代移動体通信システムの標準化プロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）により規定されている。
【０００６】
移動局は、ＳＩＲ−ＣＱＩ対応テーブル１から選択したＣＱＩ値を、上り方向の個別物理制御チャネルであるＨＳ−ＤＰＣＣＨ（Ｄｅｄｉｃａｔｅｄ  Ｐｈｙｓｉｃａｌ  Ｃｏｎｔｒｏｌ  Ｃｈａｎｎｅｌ）にマッピングして基地局へ送信する。基地局は、ＣＱＩ値を受信し、そのＣＱＩ値に基づいて、トランスポートブロックサイズ、コード多重数および変調方式の組み合わせを変更する。
【０００７】
図４は、各種無線チャネルの構成を示す図である。図４に示すように、Ｐ−ＣＰＩＣＨ２は、共有制御チャネルであるＨＳ−ＳＣＣＨ（Ｓｈａｒｅｄ  Ｃｏｎｔｒｏｌ  Ｐｈｙｓｉｃａｌ  Ｃｈａｎｎｅｌ  ｆｏｒ  ＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ））３と同期している。ＨＳ−ＰＤＳＣＨ４は、ＨＳ−ＳＣＣＨ３から２スロット分ずれる。１フレームは、１０ｍｓであり、１５スロットで構成される。ＨＳ−ＳＣＣＨ３およびＨＳ−ＰＤＳＣＨ４では、１フレームがさらに５個のサブフレームに分けられている。１サブフレームは、２ｍｓであり、３スロットで構成される。
【０００８】
ＨＳ−ＤＰＣＣＨ７も、２ｍｓずつ、３スロットからなるサブフレームに分けられている。ＣＱＩ値は、ＨＳ−ＤＰＣＣＨ７のサブフレームの後半２スロットにマッピングされる。ＨＳ−ＤＰＣＣＨ７の前半１スロットには、ＡＣＫ／ＮＡＣＫ情報がマッピングされる。ＣＱＩ値の送信は、ＣＱＩフィードバックサイクルｋ（２〜１６０ｍｓ：２ｍｓ単位）周期で行われる。ＣＱＩ値を送信するためのＳＩＲ測定は、ＣＱＩ送信区間の直前の３スロットで行われる。なお、図４において、ＤＬ−ＤＰＣＨ（Ｄｏｗｎｌｉｎｋ  Ｄｅｄｉｃａｔｅｄ  Ｐｈｙｓｉｃａｌ  Ｃｈａｎｎｅｌ）５およびＵＬ−ＤＰＣＨ（Ｕｐｌｉｎｋ  Ｄｅｄｉｃａｔｅｄ  Ｐｈｙｓｉｃａｌ  Ｃｈａｎｎｅｌ）６は、それぞれ、下り方向および上り方向の個別物理チャネルである。
【０００９】
図５および図６は、ＣＰＩＣＨとＨＳ−ＰＤＳＣＨの電力の関係を模式的に示す図である。これらの図に示すように、ＨＳ−ＰＤＳＣＨの電力１１は、共通パイロットチャネルであるＣＰＩＣＨの電力１２にオフセット値１３を足した大きさとなる。オフセット値１３は、ＨＳＤＰＡ呼接続時に上位パラメータとして上位装置から通知される。ＣＰＩＣＨの電力１２およびオフセット値１３は、通信環境等に応じた大きさとなる。
【００１０】
ＨＳＤＰＡ方式の通信システムにおいて、ＨＳ−ＰＤＳＣＨの電力を割り当てるために電力オフセットを決定する方法が提案されている（例えば、特許文献１参照。）。この提案では、電力オフセットは、電力オフセット情報は、共通パイロットチャネルに割り当てられた電力とＨＳ−ＰＤＳＣＨに割り当てられた電力との比率を勘案して決定される。
【００１１】
【特許文献１】特開２００４−４０７７８号公報
【発明の開示】
【発明が解決しようとする課題】
【００１２】
しかしながら、上述した従来のＨＳＤＰＡでは、常にＣＱＩ送信区間の直前の３スロットでＳＩＲ測定を行うため、以下のような問題点がある。図５に示すように、オフセット値がＣＰＩＣＨの電力と比べて比較的小さい場合、ＣＰＩＣＨの電力はＨＳ−ＰＤＳＣＨの電力に対して相対的に高い電力となるので、ＣＰＩＣＨのＳＩＲ測定を精度良く行うことができる。従って、移動局から基地局に信頼性の高いＣＱＩ値が報告される。
【００１３】
それに対して、図６に示すように、オフセット値がＣＰＩＣＨの電力と比べて大きい場合、ＣＰＩＣＨの電力がＨＳ−ＰＤＳＣＨの電力に対して相対的に低い電力となる。そのため、ＣＰＩＣＨのＳＩＲ測定に誤差が生じ、移動局から基地局に本来よりも低いＣＱＩ値が報告されてしまう。この問題は、前記特許文献１に開示された方法でオフセット値を決定しても、避けることはできない。
【００１４】
この発明は、上述した従来技術による問題点を解消するため、共通パイロットチャネルの測定を精度良く行い、信頼性の高いチャネル品質の情報を基地局へ報告することができる生成装置、生成方法および移動端末を提供することを目的とする。
【課題を解決するための手段】
【００１５】
上述した課題を解決し、目的を達成するため、本発明にかかる生成装置、生成方法および移動端末は、以下の特徴を有する。生成装置は、測定部、オフセット値抽出部、伝播環境信頼性判定部、測定時間制御部および演算部を備える。伝播環境信頼性判定部は、受信信号から抽出されたオフセット値が閾値よりも大きい場合、共通パイロットチャネルの受信品質を測定する際の伝播環境の信頼性が低いと判定し、オフセット値が閾値よりも小さい場合には、その伝播環境の信頼性が高いと判定する。測定時間制御部は、伝播環境の信頼性が低い場合、共通パイロットチャネルの受信品質の測定時間を長くし、伝播環境の信頼性が高い場合には、その測定時間を短くする。移動端末は、この生成装置を内蔵する。
【００１６】
この発明によれば、受信信号から抽出したオフセット値が閾値よりも大きい場合、共通パイロットチャネルの受信品質の測定時間が長くなり、より長い時間、受信品質を測定できる。オフセット値が閾値よりも小さい場合には、測定時間が短くなる。
【発明の効果】
【００１７】
本発明にかかる生成装置、生成方法および移動端末によれば、共通パイロットチャネルの測定を精度良く行い、信頼性の高いチャネル品質の情報を基地局へ報告することができるという効果を奏する。
【発明を実施するための最良の形態】
【００１８】
以下に添付図面を参照して、この発明にかかる生成装置、生成方法および移動端末の好適な実施の形態を詳細に説明する。なお、本発明は、以下の説明に限定されるものではない。
【００１９】
図１は、この発明の実施の形態にかかるＣＱＩ生成装置の構成を示すブロック図である。図１に示すように、ＣＱＩ生成装置２０は、オフセット値抽出部２１、ＳＩＲ測定部２２、測定時間制御部２３、伝播環境信頼性判定部２４、ＣＱＩ演算部２５および閾値生成部２６を備える。オフセット値抽出部２１は、基地局から送信されてくる信号からＣＰＩＣＨのパイロット信号とオフセット値を抽出する。
【００２０】
ＳＩＲ測定部２２は、オフセット値抽出部２１により抽出されたパイロット信号の受信電力に基づいて周知の方法によりＣＰＩＣＨの受信品質（ＳＩＲ）を測定する。ＣＱＩ演算部２５は、ＳＩＲ測定部２２の測定により得たＣＰＩＣＨの受信品質に基づいて周知の方法によりＣＱＩ値を求める。そして、ＣＱＩ演算部２５は、求めたＣＱＩ値を、基地局へ送信するために、図示しない送信処理部等へ出力する。
【００２１】
伝播環境信頼性判定部２４は、オフセット値抽出部２１により抽出されたオフセット値と閾値を比較する。この閾値は、閾値生成部２６により生成され、伝播環境信頼性判定部２４に供給される。閾値生成部２６は、予め実験等により求められた適当な値の大小２つの閾値を生成する。以下、大きい方の閾値を閾値（大）とし、小さい方の閾値を閾値（小）とする。
【００２２】
伝播環境信頼性判定部２４は、オフセット値が閾値（大）よりも大きい場合、ＳＩＲ測定の際の伝播環境の信頼性が低いと判定する。これは、ＣＰＩＣＨの電力がＨＳ−ＰＤＳＣＨの電力に対して相対的に低い場合に相当する。従って、伝播環境信頼性判定部２４は、ＳＩＲ測定に誤差が生じる確立が高いと判断し、信頼度として低い評価を測定時間制御部２３に与える。
【００２３】
一方、オフセット値が閾値（小）よりも小さい場合は、ＣＰＩＣＨの電力がＨＳ−ＰＤＳＣＨの電力に対して相対的に高い場合に相当する。この場合には、伝播環境信頼性判定部２４は、ＳＩＲ測定の際の伝播環境の信頼性が高いと判定し、ＳＩＲ測定に誤差が生じる確立が低いと判断する。従って、伝播環境信頼性判定部２４は、信頼度として高い評価を測定時間制御部２３に与える。
【００２４】
測定時間制御部２３は、測定時間制御部２３から渡される伝播環境の信頼度の評価に基づいて、ＳＩＲ測定部２２によるＳＩＲ測定の時間を変化させる。例えば、伝播環境の信頼度が低い評価である場合、ＣＰＩＣＨのＳＩＲ測定時間は、本来、３スロット（１サブフレーム、２ｍｓ）であるが、測定時間制御部２３は、これを２倍の６スロット（２サブフレーム、４ｍｓ）などにする。ＳＩＲ測定時間を長くすることによって、より精度良くＣＰＩＣＨのＳＩＲを測定できるので、信頼性の高いＣＱＩ値が得られる。従って、信頼性の高いＣＱＩ値を基地局へ報告することができる。
【００２５】
６スロットでＣＰＩＣＨのＳＩＲ測定を行う場合、ＣＱＩフィードバックサイクルｋが２ｍｓであれば、ＳＩＲ測定の結果得られるＣＱＩ値を、次のサブフレームと、さらにその次のサブフレームの２回、基地局へ送信すればよい。このようにすれば、基地局は、本来のＣＱＩフィードバックサイクル（２ｍｓ）でＣＱＩ値を受け取ることになるので、基地局側の構成は、従来通りでよい。
【００２６】
あるいは、移動局が２サブフレームごとにＣＱＩ値を送信し、基地局が２サブフレームごとにＣＱＩ値を受信するようにしてもよい。この場合には、基地局と移動局でネゴシエーションを行い、２サブフレームごとに１回のＣＱＩ送信を行うように制御手順を変える必要がある。なお、ＣＰＩＣＨのＳＩＲ測定時間を６スロットよりも長くしてもよい。
【００２７】
一方、伝播環境の信頼度が高い評価である場合、測定時間制御部２３は、ＣＰＩＣＨのＳＩＲ測定時間を１スロットまたは２スロットにする。ＳＩＲ測定時間を短くすることによって、ＳＩＲ測定およびＣＱＩ値の演算に要する処理時間が減るので、消費電流の消耗を低減することができる。ＣＱＩ生成装置２０の各部は、ハードウェアで構成されていてもよいし、ＣＰＵが後述する処理手順のソフトウェアを実行することによって実現されてもよい。
【００２８】
なお、上述したＣＱＩ生成装置２０は、独立した装置の形態で提供されてもよいし、他の無線制御回路等と一緒に集積化された無線制御用ＬＳＩの形態で提供されてもよい。また、本発明の実施の形態にかかる移動端末は、上述した構成のＣＱＩ生成装置を内蔵する。
【００２９】
図２は、この発明の実施の形態にかかるＣＱＩ生成装置の処理手順を示す図である。ＣＱＩ生成処理が開始されると、まず、伝播環境信頼性判定部２４は、オフセット値抽出部２１により受信信号から抽出されたオフセット値と、閾値生成部２６により生成された閾値（大）の比較を行い、オフセット値が閾値（大）よりも大きいか否かを判定する（ステップＳ１）。オフセット値が閾値（大）よりも大きい場合（ステップＳ１：Ｙｅｓ）、測定時間制御部２３は、ＣＰＩＣＨのＳＩＲ測定時間を初期値よりも大きくする。すなわち、測定時間を長くする（ステップＳ２）。
【００３０】
一方、オフセット値が閾値（大）以下である場合（ステップＳ１：Ｎｏ）、伝播環境信頼性判定部２４は、さらに、オフセット値と、閾値生成部２６により生成された閾値（小）の比較を行い、オフセット値が閾値（小）よりも小さいか否かを判定する（ステップＳ３）。オフセット値が閾値（小）よりも小さい場合（ステップＳ３：Ｙｅｓ）、測定時間制御部２３は、ＣＰＩＣＨのＳＩＲ測定時間を初期値よりも小さくする。すなわち、測定時間を短くする（ステップＳ４）。
【００３１】
オフセット値が閾値（小）以上である場合、すなわち、オフセット値が閾値（小）と閾値（大）の間にある場合（ステップＳ３：Ｎｏ）には、測定時間制御部２３は、ＣＰＩＣＨのＳＩＲ測定時間を初期値とする（ステップＳ５）。この初期値は、例えば、３スロット（２ｍｓ）である。ステップＳ２で測定時間を長くする場合には、例えば、測定時間を６スロット（４ｍｓ）とする。また、ステップＳ４で測定時間を短くする場合には、例えば、測定時間を１スロットまたは２スロットとする。
【００３２】
ステップＳ２、ステップＳ４またはステップＳ５でＳＩＲ測定時間が決まったら、その測定時間でもってＳＩＲ測定部２２によりＣＰＩＣＨのＳＩＲ測定を行う（ステップＳ６）。そして、ＳＩＲ測定結果に基づいて、ＣＱＩ演算部２５により、ＣＱＩ値を演算して求め（ステップＳ７）、図２に示す一連の処理を終了する。
【００３３】
以上説明したように、実施の形態によれば、ＳＩＲ測定期間を最適化することによって、オフセット値がＣＰＩＣＨの電力と比べて大きい場合、すなわち、ＣＰＩＣＨの電力がＨＳ−ＰＤＳＣＨの電力に対して相対的に低い場合でも、ＣＰＩＣＨのＳＩＲ測定を精度良く行うことができる。従って、信頼性の高いＣＱＩ値を基地局へ報告することができるという効果が得られる。また、ＣＱＩ値の信頼性が高いと、基地局は、伝播環境に適した通信条件を精度良く選択して移動局へデータを送信することができるので、移動局側での受信エラーが減り、ＨＳＤＰＡ端末装置のユーザスループットが増加するという効果が得られる。
【００３４】
さらに、実施の形態によれば、オフセット値がＣＰＩＣＨの電力と比べて小さい場合、すなわち、ＣＰＩＣＨの電力がＨＳ−ＰＤＳＣＨの電力に対して相対的に高い場合には、ＳＩＲ測定期間を短縮しても精度良くＳＩＲ測定を行うことができる。従って、ＳＩＲ測定期間を従来の３スロットから短縮して１スロットまたは２スロットにすることによって、３スロットのうちの２スロット分または１スロット分、ＣＰＵによる処理を止めることができる。従って、その分、ＨＳＤＰＡ端末装置の消費電流を削減することができるという効果が得られる。
【００３５】
（付記１）受信信号に含まれる共通パイロットチャネルの受信品質を測定する測定部と、受信信号からオフセット値を抽出するオフセット値抽出部と、前記オフセット値抽出部により抽出されたオフセット値に応じて前記測定部による前記共通パイロットチャネルの受信品質の測定時間を可変する測定時間制御部と、前記測定部の測定により得た前記共通パイロットチャネルの受信品質に基づいてチャネル品質の情報を求める演算部と、を備えることを特徴とする生成装置。
【００３６】
（付記２）前記オフセット値抽出部により抽出されたオフセット値と閾値を比較し、前記オフセット値が前記閾値よりも大きい場合に前記測定部による前記共通パイロットチャネルの受信品質を測定する際の伝播環境の信頼性が低いと判定する伝播環境信頼性判定部、をさらに備え、前記測定時間制御部は、前記伝播環境信頼性判定部により伝播環境の信頼性が低いと判定された場合に前記測定部による前記共通パイロットチャネルの受信品質の測定時間を長くすることを特徴とする付記１に記載の生成装置。
【００３７】
（付記３）前記伝播環境信頼性判定部は、前記オフセット値が前記閾値よりも小さい場合に前記測定部による前記共通パイロットチャネルの受信品質を測定する際の伝播環境の信頼性が高いと判定し、前記測定時間制御部は、前記伝播環境信頼性判定部により伝播環境の信頼性が高いと判定された場合に前記測定部による前記共通パイロットチャネルの受信品質の測定時間を短くすることを特徴とする付記２に記載の生成装置。
【００３８】
（付記４）受信信号からオフセット値を抽出するオフセット値抽出ステップと、前記オフセット値抽出ステップで抽出されたオフセット値と閾値を比較し、前記オフセット値が前記閾値よりも大きい場合に、受信信号に含まれる共通パイロットチャネルの受信品質を測定する際の伝播環境の信頼性が低いと判定する伝播環境信頼性判定ステップと、前記伝播環境信頼性判定ステップで伝播環境の信頼性が低いと判定された場合に前記共通パイロットチャネルの受信品質の測定時間を長くする測定時間制御ステップと、前記測定時間制御ステップで決定された測定時間でもって前記共通パイロットチャネルの受信品質を測定する測定ステップと、前記測定ステップでの測定により得た前記共通パイロットチャネルの受信品質に基づいてチャネル品質の情報を求める演算ステップと、を備えることを特徴とする生成方法。
【００３９】
（付記５）前記伝播環境信頼性判定ステップでの比較の結果、前記オフセット値が前記閾値よりも小さい場合に、受信信号に含まれる共通パイロットチャネルの受信品質を測定する際の伝播環境の信頼性が高いと判定し、前記測定時間制御ステップで、前記共通パイロットチャネルの受信品質の測定時間を短くすることを特徴とする付記４に記載の生成方法。
【００４０】
（付記６）受信信号に含まれる共通パイロットチャネルの受信品質を測定する測定部と、受信信号からオフセット値を抽出するオフセット値抽出部と、前記オフセット値抽出部により抽出されたオフセット値に応じて前記測定部による前記共通パイロットチャネルの受信品質の測定時間を可変する測定時間制御部と、前記測定部の測定により得た前記共通パイロットチャネルの受信品質に基づいてチャネル品質の情報を求める演算部と、を備える生成装置を有することを特徴とする移動端末。
【００４１】
（付記７）前記オフセット値抽出部により抽出されたオフセット値と閾値を比較し、前記オフセット値が前記閾値よりも大きい場合に前記測定部による前記共通パイロットチャネルの受信品質を測定する際の伝播環境の信頼性が低いと判定し、前記オフセット値が前記閾値よりも小さい場合に前記測定部による前記共通パイロットチャネルの受信品質を測定する際の伝播環境の信頼性が高いと判定する伝播環境信頼性判定部、をさらに備え、前記測定時間制御部は、前記伝播環境信頼性判定部により伝播環境の信頼性が低いと判定された場合に前記測定部による前記共通パイロットチャネルの受信品質の測定時間を長くし、前記伝播環境信頼性判定部により伝播環境の信頼性が高いと判定された場合に前記測定部による前記共通パイロットチャネルの受信品質の測定時間を短くすることを特徴とする付記６に記載の移動端末。
【産業上の利用可能性】
【００４２】
以上のように、本発明にかかる生成装置、生成方法および移動端末は、ＨＳＤＰＡで基地局と無線通信を行う移動局および該移動局に使用される無線通信制御用の集積回路装置に有用であり、特に、第３世代（３Ｇ）の携帯電話機を進化させた３．５Ｇと呼ばれる携帯電話機に適している。
【図面の簡単な説明】
【００４３】
【図１】この発明の実施の形態にかかるＣＱＩ生成装置の構成を示すブロック図である。
【図２】この発明の実施の形態にかかるＣＱＩ生成装置の処理手順を示す図である。
【図３】ＳＩＲ−ＣＱＩ対応テーブルを示す図である。
【図４】各種無線チャネルの構成を示す図である。
【図５】ＣＰＩＣＨとＨＳ−ＰＤＳＣＨの電力の関係を模式的に示す図である。
【図６】ＣＰＩＣＨとＨＳ−ＰＤＳＣＨの電力の関係を模式的に示す図である。
【符号の説明】
【００４４】
２０  ＣＱＩ生成装置
２１  オフセット値抽出部
２２  ＳＩＲ測定部
２３  測定時間制御部
２４  伝播環境信頼性判定部
２５  ＣＱＩ演算部
【図１】
0004789875.tif 000002
【図２】
0004789875.tif 000003
【図３】
0004789875.tif 000004
【図４】
0004789875.tif 000005
【図５】
0004789875.tif 000006
【図６】
0004789875.tif 000007